(57)【特許請求の範囲】
【請求項１】
複数のコンセントの一部又は全部に接続された電気機器の使用状態に応じて複数の照明器具の点灯と消灯を制御する照明制御システムであって、
前記複数のコンセントに流れる電流を監視し、各コンセントに流れる電流の変化を検知する検知手段と、
予め前記複数のコンセントのそれぞれに対して、前記照明器具を対応させて前記コンセントと照明器具との対応関係を記憶するテーブルを作成するテーブル作成手段と、
前記検知手段によりいずれかのコンセントの電流の変化が検知された時に前記テーブルを参照して前記電流の変化が検知されたコンセントに対応する照明器具を特定し、前記検知された電流の変化の増減に応じて前記特定された照明器具を点灯又は消灯する制御手段と、
を備えたことを特徴とする照明制御システム。
【請求項２】
前記テーブル作成手段は、前記各コンセントに対して少なくとも１つ以上の照明器具を対応させて各コンセントと照明器具との対応関係を記憶するテーブルを作成することを特徴とする請求項１に記載の照明制御システム。
【請求項３】
前記テーブル作成手段は、前記複数の照明器具の少なくとも一部を複数のコンセントに対応させていることを特徴とする請求項２に記載の照明制御システム。
【請求項４】
前記制御手段は、前記検知された電流の変化が前記電気機器の非使用状態から使用状態へ増加する変化か、使用状態から非使用状態へ減少する変化かに応じて前記特定された照明器具を点灯又は消灯することを特徴とする請求項１乃至３のいずれか１項に記載の照明制御システム。
【請求項５】
複数のコンセントの一部又は全部に接続された電気機器の使用状態に応じて複数の照明器具の点灯と消灯を制御する照明制御方法であって、
検知手段が、前記複数のコンセントに流れる電流を監視し、各コンセントに流れる電流の変化を検知するステップと、
テーブル作成手段が、予め前記複数のコンセントのそれぞれに対して、前記照明器具を対応させて前記コンセントと照明器具との対応関係を記憶するテーブルを作成するステップと、
制御手段が、前記検知手段によりいずれかのコンセントの電流の変化が検知された時に前記テーブルを参照して前記電流の変化が検知されたコンセントに対応する照明器具を特定し、前記検知された電流の変化の増減に応じて前記特定された照明器具を点灯又は消灯するステップと、
を含むことを特徴とする照明制御方法。
【発明の詳細な説明】
【技術分野】
【０００１】
本発明は、照明の点灯／消灯を制御する照明制御システム及び方法、特に、工場や広いオフィス等のような多数の照明器具を使用する環境に好適な照明制御システム及び方法に関するものである。
【背景技術】
【０００２】
近年、エネルギー消費の削減或いはＣＯ２排出量の削減が叫ばれている中で、ユーザの照明の点灯／消灯の意識が乏しいことが多く、自動的にエネルギー削減或いはＣＯ２排出量削減が出来る制御システムが求められている。例えば、工場や広いオフィス等で多くの照明を使用する環境では、照明の点灯／消灯はエネルギー消費削減やＣＯ２排出量削減効果は大きい。
【０００３】
そこで、照明制御に関する技術としては、例えば、特許文献１乃至２に記載された技術が知られている。特許文献１には、コンピュータの電源がオンになると照明用ランプが点灯し、コンピュータの電源がオフになると照明用ランプが消灯することが記載されている（段落００１６等）。
【０００４】
特許文献２には、各コンセントに接続された電気機器が使用されている時は内蔵する電流センサからセンサ信号を監視盤に送信することにより、監視盤を見れば照明器具の点灯・消灯状態、各コンセントに繋がる電気機器の通電状態か否かを一目で確認できることが記載されている（段落０００８〜０００９等）。
【先行技術文献】
【特許文献】
【０００５】
【特許文献１】特開２００６−１２１３２２号公報
【特許文献２】特開平０４−２９５５１５号公報
【発明の概要】
【発明が解決しようとする課題】
【０００６】
特許文献１乃至２には、コンピュータの電源のオン、オフに応じて照明の点灯や消灯を制御することや、センサを用いてコンセントに流れる電流を検知し、コンセントに接続された照明器具の点灯・消灯状態や、コンセントに接続された電気機器の通電状態か否かを確認することが記載されている。
【０００７】
しかしながら、引用文献１では、コンピュータのオン、オフに応じて照明制御を行っており、例えば、工場やオフィス等の多数の照明がある環境で照明制御を行うことは考慮されていない。また、特許文献２には、コンセントに接続された照明器具の点灯・消灯状態を確認すること等は記載されているが、特に、照明が多数ある環境に適した照明制御に関しては言及されていない。
【０００８】
本発明の目的は、工場や広いオフィス等の照明が多数ある環境においても、照明制御をきめ細かく行え、効率的な節電を行うことが可能な照明制御システム及び方法を提供することにある。
【課題を解決するための手段】
【０００９】
本発明に係る照明制御システムは、複数のコンセントの一部又は全部に接続された電気機器の使用状態に応じて複数の照明器具の点灯と消灯を制御する照明制御システムであって、前記複数のコンセントに流れる電流を監視し、各コンセントに流れる電流の変化を検知する検知手段と、予め前記複数のコンセントのそれぞれに対して、前記照明器具を対応させて前記コンセントと照明器具との対応関係を記憶するテーブルを作成するテーブル作成手段と、前記検知手段によりいずれかのコンセントの電流の変化が検知された時に前記テーブルを参照して前記電流の変化が検知されたコンセントに対応する照明器具を特定し、前記検知された電流の変化の増減に応じて前記特定された照明器具を点灯又は消灯する制御手段と、を備えたことを特徴とする。
【００１０】
また、本発明に係る照明制御方法は、複数のコンセントの一部又は全部に接続された電気機器の使用状態に応じて複数の照明器具の点灯と消灯を制御する照明制御方法であって、検知手段が、前記複数のコンセントに流れる電流を監視し、各コンセントに流れる電流の変化を検知するステップと、テーブル作成手段が、予め前記複数のコンセントのそれぞれに対して、前記照明器具を対応させて前記各コンセントと照明器具との対応関係を記憶するテーブルを作成するステップと、制御手段が、前記検知手段によりいずれかのコンセントの電流の変化が検知された時に前記テーブルを参照して前記電流の変化が検知されたコンセントに対応する照明器具を特定し、前記検知された電流の変化の増減に応じて前記特定された照明器具を点灯又は消灯するステップと、を含むことを特徴とする。
【発明の効果】
【００１１】
本発明によれば、工場や広いオフィス等の照明が多数ある環境においても、照明制御をきめ細かく行え、必要な照明器具のみを点灯したり、不要な照明器具のみを消灯する等節電を効率的に行うことが可能となる。
【図面の簡単な説明】
【００１２】
【図１】本発明に係る照明制御システムの一実施形態を示すブロック図である。
【図２】部屋内のコンセントの配置例を示す図である。
【図３】部屋内の照明器具の配置例を示す図である。
【図４】コンセントと照明器具との対応関係を示す図である。
【図５】本発明に係る照明制御システムの動作を説明するフローチャートである。
【発明を実施するための形態】
【００１３】
次に、発明を実施するための形態について図面を参照して詳細に説明する。図１は本発明に係る照明制御システムの一実施形態を示すブロック図である。図１に示すように使用機器１０１がコンセント１０２に接続されている。使用機器１０１とは、例えば、パーソナルコンピュータ（以下パソコン）、複写機、ファクシミリ、プリンタ等の電気機器である。図１では、１つの使用機器１０１と１つのコンセント１０２を示しているが、オフィス等の部屋内に複数の使用機器１０１が配置され、これら使用機器１０１が部屋内に配置された各コンセント１０２に接続されている。
【００１４】
なお、本実施形態では、照明制御の対象領域としてオフィス等の部屋を例に挙げて説明するが、本発明は、例えば、工場等のエリア等でも使用でき、特に、照明器具が多数ある広い環境に好適に使用できる。また、全てのコンセントに使用機器を接続して照明制御を行う例を説明するが、複数のコンセントの一部に使用機器を接続して照明制御を行っても良い。
【００１５】
電流監視装置１０３は、コンセント１０２に流れる電流を検知する電流センサ等の装置であり、複数のコンセント１０２の電流変化を監視し、それぞれのコンセント１０２に接続された使用機器１０１の使用状態を監視する。例えば、パソコン等の使用機器１０１の電源がオンされ、非使用状態から使用状態になったかを検出し、反対にパソコン等の使用機器１０１の電源がオフされ、使用状態から非使用状態になったかを検出する。電流監視装置１０３は、常時、全てのコンセント１０２の電流変化を監視し、監視結果をコンセント／照明位置関係情報記憶装置１０４に通知する。
【００１６】
照明器具１０６は、例えば、蛍光灯やＬＥＤを用いたＬＥＤ照明器具等であり、部屋内には複数の照明器具１０６が配置されている。複数の照明器具１０６はそれぞれコンセント１０２の位置と対応付けられている。コンセント１０２と照明器具１０６との対応関係については後述する。
【００１７】
コンセント／照明位置関係情報記憶装置１０４は、予め部屋内に配置された複数のコンセント１０２の位置に対して、それぞれ複数の照明器具１０６の対応関係を記憶している。つまり、部屋内に配置されたあるコンセント１０２の位置に対してどの照明器具１０６が対応しているかを記憶しており、部屋内の全てのコンセント１０２に対してそれぞれどの照明器具１０６が対応するかを記憶している。この対応関係は後述するようにテーブルとして記憶している。
【００１８】
コンセント／照明位置関係情報記憶装置１０４は、電流監視装置１０３から送信されたコンセント１０２の電流監視結果に基づいて電流変化のあったコンセント１０２、即ち、電流が増加したコンセント或いは電流が減少したコンセントに対応する照明器具１０６を特定し、該当する照明器具１０６を照明制御装置１０５に通知する。その際、上述のようにテーブルにはコンセント１０２と照明器具１０６との対応関係が登録されているため、そのテーブルと照合して電流が増加したコンセント或いは電流が減少したコンセント１０２に対応する照明器具１０６を特定する。
【００１９】
なお、この場合のコンセントに流れる電流の増加は、後述するようにそのコンセントに接続された使用機器が非使用状態から使用状態に変化したことを意味し、電流の減少は、そのコンセントに接続された使用機器が使用状態から非使用状態に変化したことを意味する。
【００２０】
照明制御装置１０５は、コンセント／照明位置関係情報記憶装置１０４から通知された照明器具１０６に点灯／消灯信号を出力し、該当する照明器具１０６の点灯／消灯を制御する。
【００２１】
図２は部屋内のコンセント１０２の配置例を示す。図２に示すように部屋は複数のエリア１０、２０、３０、４０に分けられている。まず、エリア１０にはコンセント１とコンセント４が対向するように配置され、エリア２０にはコンセント３とコンセント６が対向するように配置されている。
【００２２】
また、エリア１０とエリア２０との境界には、コンセント２とコンセント５が対向するように配置されている。更に、エリア３０にはコンセント７とコンセント１０が対向するように配置され、エリア４０にはコンセント９とコンセント１２が対向するように配置されている。また、エリア３０とエリア４０との境界には、コンセント８とコンセント１１が対向するように配置されている。
【００２３】
図３は図２と同じ部屋の照明器具１０６の配置例を示す図である。図３に示すエリア１０〜エリア４０は図２のエリア１０〜エリア４０と同じである。エリア１０には、照明器具Ａと照明器具Ｂが並んだ状態で配置され、その後方位置に照明器具Ｃと照明器具Ｄが並んだ状態で配置されている。
【００２４】
エリア２０には、図３に示すように照明器具Ｅと照明器具Ｆが並んだ状態で配置され、その後方位置に照明器具Ｇと照明器具Ｈが並んだ状態で配置されている。エリア３０には、照明器具Ｉと照明器具Ｊが並んだ状態で配置され、その後方位置に照明器具Ｋと照明器具Ｌが並んだ状態で配置されている。エリア４０には、照明器具Ｍと照明器具Ｎが並んだ状態で配置され、その後方位置に照明器具Ｏと照明器具Ｐが並んだ状態で配置されている。
【００２５】
ここで、図２と図３を参照すると、図２に示すコンセント１には照明器具Ａと照明器具Ｂとが対応し、コンセント２には照明器具Ｂと照明器具Ｅとが対応することが分かる。また、コンセント３には照明器具Ｅと照明器具Ｆとが対応し、コンセント４には照明器具Ｃと照明器具Ｄとが対応することが分かる。更に、コンセント５には照明器具Ｄと照明器具Ｇとが対応し、コンセント６には照明器具Ｇと照明器具Ｈとが対応することが分かる。他のコンセントにも同様に照明器具が対応付けられている。本実施形態では、１つのコンセントに対して２つの照明器具を対応させているが、１つのコンセントに対応させる照明器具の数は任意である。
【００２６】
図４はこのようなコンセントと照明器具との対応関係を示す。図４に示すように設定１としてコンセント１はエリア１０に配置され、コンセント１に対応する照明器具はＡとＢであることが登録されている。また、設定２としてコンセント２はエリア１０と２０に配置され、コンセント２に対応する照明器具はＢとＥであることが登録されている。更に、設定３としてコンセント３はエリア２０に配置され、コンセント３に対応する照明器具はＥとＦであることが登録されている。
【００２７】
以下、図４に示すように全てのコンセントに対応する照明器具が登録されている。なお、図４では１つのコンセントに対して２つの照明器具を対応させているが、１つのコンセントに対応させる照明器具の数は任意である。例えば、図４ではコンセント４に対応する照明器具としてＣ、Ｄを挙げているが、照明器具Ａ、Ｂ、Ｃ、Ｄをコンセント４に対応させても良い。
【００２８】
図４に示すコンセントと照明器具との対応関係を示すテーブルは、図１に示すコンセント／照明位置関係情報記憶装置１０４内のメモリ（図示せず）に記憶されている。ユーザがコンセント１に使用機器１０１を接続して使用機器１０１が使用状態の場合には、設定１に従いエリア１０内の照明器具ＡとＢが点灯する。また、コンセント２に使用機器１０１を接続して使用機器１０１が使用状態の場合には、設定２に従いエリア１０と２０内の照明器具はＢとＥが点灯する。
【００２９】
次に、本実施形態の具体的な動作を図１乃至図５を参照して説明する。図５は本実施形態の動作を示すフローチャートである。まず、システムの事前設定を行う。即ち、上述のようにコンセントと照明器具との対応関係を決定し、コンセント／照明位置関係情報記憶装置１０４内に図４に示すテーブルを作成する。
【００３０】
次に、電流監視装置１０３は、常時、コンセント１０２（図２のコンセント１〜１２）の電流変化を監視し（Ｓ１０１）、いずれかのコンセントの電流変化を検知すると、そのコンセントに流れる電流がゼロからそのコンセントに接続された使用機器１０１の使用状態に変化したのか、そのコンセントに接続された使用機器１０１の使用状態からゼロ（非使用状態）に変化したのかを判定する（Ｓ１０２）。
【００３１】
例えば、図２に示すコンセント１に流れる電流が変化し、ほぼゼロから使用機器１０１の使用状態に電流が変化したとする。つまり、コンセント１に接続されたパソコン等の使用機器の電源が投入され、コンセント１に流れる電流がほぼゼロから流れ始めて使用機器の使用状態に変化したとする。電流監視装置１０３は、この電流変化を検知すると、コンセント／照明位置関係情報記憶装置１０４に電流変化の発生したコンセント及びそのコンセントに流れる電流変化がほぼゼロから使用機器１０１の使用状態に変化したことを通知する。
【００３２】
コンセント／照明位置関係情報記憶装置１０４は、この電流変化の情報を電流監視装置１０３から受信すると、図４に示すテーブルを参照して電流変化の発生したコンセントに対応する照明器具を特定する（Ｓ１０３）。この場合は、例えば、図２に示すコンセント１に流れる電流が変化し、図４に設定１としてコンセント１に対応する照明器具はＡとＢであることが登録されているので、コンセント１に対応する照明器具はＡとＢであると特定する。
【００３３】
また、この場合の電流変化は、上述のようにコンセント１の電流がゼロから使用状態への変化であるため、コンセント／照明位置関係情報記憶装置１０４は照明制御装置１０５に照明器具ＡとＢを点灯させるように点灯信号を送信する。照明制御装置１０５は、この点灯信号に応じて照明器具ＡとＢを点灯させる（Ｓ１０４）。また、例えば、コンセント２に流れる電流がゼロから使用状態に変化すると、図４に示すようにコンセント２に対応する照明器具はＢとＥであるため照明器具ＢとＥが点灯し、コンセント３に流れる電流がゼロから使用状態に変化すると、コンセント３に対応する照明器具はＥとＦであるため照明器具ＥとＦが点灯する。
【００３４】
一方、Ｓ１０１でいずれかのコンセントに流れる電流変化を検知し、Ｓ１０２でそのコンセントに流れる電流が使用状態からほぼゼロに変化したとする。例えば、コンセント１に接続されたパソコン等の使用機器の電源がオフされ、コンセント１に流れる電流がほぼゼロに変化したとする。コンセント／照明位置関係情報記憶装置１０４は、同様に図４に示すテーブルを参照して電流変化の発生したコンセント１に対応する照明器具を特定する（Ｓ１０５）。
【００３５】
この場合にも、図４には設定１としてコンセント１に対応する照明器具はＡとＢであることが登録されているので、コンセント１に対応する照明器具はＡとＢであると特定する。また、コンセント１の電流変化は、使用状態からほぼゼロへの変化であるため、コンセント／照明位置関係情報記憶装置１０４は照明制御装置１０５に照明器具ＡとＢを消灯させるように消灯信号を送信する。照明制御装置１０５は、この消灯信号に応じて照明器具ＡとＢを消灯させる（Ｓ１０６）。また、例えば、コンセント２に流れる電流が使用状態からほぼゼロに変化すると、コンセント２に対応する照明器具ＢとＥが消灯し、コンセント３に流れる電流が使用状態からゼロに変化すると、コンセント３に対応する照明器具ＥとＦが消灯する。
【００３６】
このように本実施形態では、予め複数のコンセントのそれぞれの位置に対して、それぞれ照明器具を対応させて各コンセントと照明器具との対応関係をテーブルに保持しておき、電流監視装置１０３により、常時、各コンセントに流れる電流変化を監視する。そして、いずれかのコンセントに流れる電流が変化すると、テーブルを参照して電流変化の発生したコンセントに対応する照明器具を特定し、コンセントに流れる電流がほぼゼロから使用状態に変化した場合には、対象となるコンセントに対応する照明器具を点灯するように制御を行う。また、コンセントに流れる電流が使用状態からほぼゼロに変化した場合には、対象となるコンセントに対応する照明器具を消灯するように制御を行う。
【００３７】
従って、部屋に配置された照明器具の点灯と消灯を部屋全体で一括制御するのではなく、部屋の所定のエリア単位で照明制御を自動で行うことができ、必要な照明器具のみを点灯したり、不要な照明器具のみを消灯することが可能となる。そのため、例えば、工場や広いオフィス等の照明器具が多数ある環境においても、きめ細かな照明制御を行え、節電を効率的に行うことが可能となる。
【００３８】
なお、上記実施形態の一部又は全部は、以下の付記のようにも記載されうるが、以下には限らない。
【００３９】
（付記１）複数のコンセントの一部又は全部に接続された電気機器の使用状態に応じて複数の照明器具の点灯と消灯を制御する照明制御システムであって、
前記複数のコンセントに流れる電流を監視し、各コンセントに流れる電流の変化を検知する検知手段と、
予め前記複数のコンセントのそれぞれに対して、前記照明器具を対応させて前記コンセントと照明器具との対応関係を記憶するテーブルを作成するテーブル作成手段と、
前記検知手段によりいずれかのコンセントの電流の変化が検知された時に前記テーブルを参照して前記電流の変化が検知されたコンセントに対応する照明器具を特定し、前記検知された電流の変化の増減に応じて前記特定された照明器具を点灯又は消灯する制御手段と、
を備えたことを特徴とする照明制御システム。
【００４０】
（付記２）前記テーブル作成手段は、前記各コンセントに対して少なくとも１つ以上の照明器具を対応させて各コンセントと照明器具との対応関係を記憶するテーブルを作成することを特徴とする付記１に記載の照明制御システム。
【００４１】
（付記３）前記テーブル作成手段は、前記複数の照明器具の少なくとも一部を複数のコンセントに対応させていることを特徴とする付記２に記載の照明制御システム。
【００４２】
（付記４）前記制御手段は、前記検知された電流の変化が前記電気機器の非使用状態から使用状態へ増加する変化か、使用状態から非使用状態へ減少する変化かに応じて前記特定された照明器具を点灯又は消灯することを特徴とする付記１乃至３のいずれか１に記載の照明制御システム。
【００４３】
（付記５）複数のコンセントの一部又は全部に接続された電気機器の使用状態に応じて複数の照明器具の点灯と消灯を制御する照明制御方法であって、
検知手段が、前記複数のコンセントに流れる電流を監視し、各コンセントに流れる電流の変化を検知するステップと、
テーブル作成手段が、予め前記複数のコンセントのそれぞれに対して、前記照明器具を対応させて前記コンセントと照明器具との対応関係を記憶するテーブルを作成するステップと、
制御手段が、前記検知手段によりいずれかのコンセントの電流の変化が検知された時に前記テーブルを参照して前記電流の変化が検知されたコンセントに対応する照明器具を特定し、前記検知された電流の変化の増減に応じて前記特定された照明器具を点灯又は消灯するステップと、
を含むことを特徴とする照明制御方法。
【００４４】
（付記６）前記テーブル作成手段は、前記各コンセントに対して少なくとも１つ以上の照明器具を対応させて各コンセントと照明器具との対応関係を記憶するテーブルを作成することを特徴とする付記５に記載の照明制御方法。
【００４５】
（付記７）前記テーブル作成手段は、前記複数の照明器具の少なくとも一部を複数のコンセントに対応させていることを特徴とする付記６に記載の照明制御方法。
【００４６】
（付記８）前記制御手段は、前記検知された電流の変化が前記電気機器の非使用状態から使用状態へ増加する変化か、使用状態から非使用状態へ減少する変化かに応じて前記特定された照明器具を点灯又は消灯することを特徴とする付記５乃至７のいずれか１に記載の照明制御方法。
【産業上の利用可能性】
【００４７】
本発明は、例えば、工場やオフィス等の広いエリアに多数の照明器具が配置された環境に好適に使用することができる。
【符号の説明】
【００４８】
１０１  使用機器（電気機器）
１０２  コンセント
１０３  電流監視装置
１０４  コンセント／照明位置関係情報記憶装置
１０５  照明制御装置
１０６  照明器具
１０、２０、３０、４０  部屋のエリア
Ａ〜Ｐ  照明器具
【図１】
0005305484.tif 000002
【図２】
0005305484.tif 000003
【図３】
0005305484.tif 000004
【図４】
0005305484.tif 000005
【図５】
0005305484.tif 000006